(57)【特許請求の範囲】
【請求項１】
注射器の注射針を穿刺可能とする穿刺部と医療用容器口上端面に接するフランジ部とを有する天面フランジと、
前記天面フランジの下面に突出して医療用容器口内に嵌入される栓脚と、
前記天面フランジの上面外周部に放射状に配置された密着防止用の突起と、
を有する医療用ゴム栓であって、
前記突起は、
垂直上方から見た場合、略同脚台形を有しており、その外縁方向側辺もしくは内縁方向側辺のうちいずれか一方が他方より短く、且つ前記外縁方向側辺と内縁方向側辺を結ぶ垂直視テーパー部を有し、
水平方向から見た場合、内縁方向側辺もしくは外縁方向側辺のうちいずれか一方から他方に向けて傾斜下降した水平視テーパー部の頂面を有する丘陵状突起である。
医療用ゴム栓。
【請求項２】
注射器の注射針を穿刺可能とする穿刺部と医療用容器口上端面に接するフランジ部とを有する天面フランジと、
前記天面フランジの下面に突出して医療用容器口内に嵌入される栓脚と、
前記天面フランジの上面外周部に放射状に配置された密着防止用の突起と、
を有する医療用ゴム栓であって、
前記突起は、
垂直上方から見た場合、三角形状であり、
水平方向から見た場合、内縁方向もしくは外縁方向のうちいずれか一方に向けて傾斜下降した頂面を有する丘陵状突起である、
医療用ゴム栓。
【請求項３】
前記突起の数量は４〜１２個である請求項１または２に記載の医療用ゴム栓。
【発明の詳細な説明】
【０００１】
【発明の属する技術分野】
本発明は、医療用容器のゴム栓、特に凍結乾燥製剤を保存するバイアルの口部を密封して止栓する医療用ゴム栓に関する。
【０００２】
【従来の技術】
医薬品用容器の口部に適用する医療用ゴム栓には高度の品質特性および物理的特性が要求される。たとえば、抗生物質などの製剤を保存するバイアルの開口部を密封または止栓する医療用ゴム栓に要求される品質特性は、その用途上、第１３改正日本薬局方の輸液用ゴム栓試験に準拠すべきである。さらに、バイアルの開口部を密封などする医療用ゴム栓には、耐ガス透過性、非溶出性、高清浄性、耐薬品性、耐針刺性、自己密封性、高摺動性など多くの項目が必須とされている。
【０００３】
凍結乾燥用ゴム栓は、バイアル瓶と同様に凍結乾燥製剤の容器の一部として使用されるものである。凍結乾燥用ゴム栓は、注射器の注射針を穿刺可能とする穿刺部と医療用容器口上端面に接するフランジ部とを有する天面フランジと、医療用容器口内に挿入される栓脚と、を有して構成される。
【０００４】
凍結真空乾燥用製剤は、水分および空気との接触を防止させる必要があり、密封保存中に外部からの水分および空気などの侵入を遮断し、あるいはバイアル内部の気密性を維持するために、医療用ゴム栓の材料としてイソブチレン・イソプレン共重合体（ブチルゴム）などが一般に使用されている。そして、薬剤を患者に投与する際、栓体の穿刺部に、薬液注入用の注射針を穿刺して使用する。
【０００５】
凍結乾燥法によって製剤を得るには、バイアル瓶内に所定量の薬液を充填し、薬液の水蒸気が通過し易いように栓脚に開口を設けたゴム栓をバイアル瓶の開口部内に半打栓状態で装着し、これを凍結乾燥庫内の棚に収納し、凍結乾燥庫内を所定の温度と真空度に保持して凍結真空乾燥する。凍結乾燥庫内での凍結真空乾燥は、通常、温度−３０〜−４５℃にして薬液を凍結後、真空度１〜０．０３Ｔｏｒｒおよび温度−２０℃〜＋３０℃に保持し、１２〜３６時間の範囲内で一次乾燥を行う。さらに、温度を＋２０℃〜＋４０℃に保持し、１〜６時間の範囲内で二次乾燥することにより製剤の凍結真空乾燥が終了する。
【０００６】
次に凍結乾燥庫内を窒素で常圧（−３００ｍｍＨ2Ｏ〜０）に戻し、凍結乾燥庫棚のステンレス鋼製の押圧板によってゴム栓を押圧し、完全にバイアル瓶の口部に嵌入して施栓する。この時の施栓の条件は、バイアル１個当たり押圧力１〜５ｋｇ、押圧時間１〜２０分、押圧回数１〜２回程度が一般的である。ゴム栓の施栓が完了したバイアル瓶は、凍結乾燥庫内から取り出され、次工程に搬送してゴム栓にアルミニウムキャップを巻締めて、止栓し製剤を得る。なお、使用されるバイアル瓶は、口内形状差により、ストレートバイアル、逆テーパーバイアル、および、ホップアップ防止と、気密性改良されたクロージャーストップバイアルなどがある。
【０００７】
さて、医療用ゴム栓は、洗浄時や滅菌時に、ゴム栓とゴム栓とが密着する場合がある。洗浄時や滅菌時に、ゴム栓とゴム栓とが密着した場合にあっては、密着部分において、洗浄、滅菌が不十分となる場合があり、医療用ゴム栓どうしの密着を防止させる必要性がある。
【０００８】
また、医療用ゴム栓は、ゴム栓の上に巻締めされるキャップとゴム栓とが密着する場合がある。キャップとゴム栓とが密着した場合にあっては、キャップとゴム栓が密着して取り外しが困難となる。
【０００９】
また、医療用ゴム栓をパーツフィーダにて搬送させる際、搬送性を向上させる必要性がある。
【００１０】
そのために、突起がゴム栓天面の外周部に均等に複数個配置されている。図１２は、従来に係る医療用ゴム栓の概略図であり、垂直上方から説明する図である。図１２に係る医療用ゴム栓に設けられた突起４７は、垂直上方から見た場合、略長方形である。また、図１３は、図１２に係る医療用ゴム栓の天面フランジ４１の上面外周部に配置された突起４７を説明する図であり、そのうち、図１３（ａ）は突起４７を垂直上方から見た図であり、図１３（ｂ）は突起４７を水平方向から見た図である。
【００１１】
このゴム栓天面に複数配置された突起４７により、洗浄時などにおいて製品どうしの密着を防止することができた。また、キャップとゴム栓との強固な密着を防止し、キャップとゴム栓との取り外しを容易にすることができた。また、パーツフィーダーで搬送する際に、医療用ゴム栓の搬送性を向上させることができた。
【００１２】
しかしながら、凍結乾燥庫内における全打栓時において、天面フランジと天板との密着を防止させる効果としては、充分ではなかった。すなわち、凍結乾燥庫内において、全打栓を行う際、天面フランジと天板とが密着する場合があり、係る場合、天板を持ち上げると、天板に伴ってバイアル瓶も同時に持ち上がることになる。天板に伴ってバイアル瓶が持ちあがった場合、バイアル瓶が落下することがあり、バイアル瓶が落下した場合、破損により内容物が飛散する可能性がある。特に、天面フランジの穿指部が段落ち形状に構成されている医療用ゴム栓では、全打栓時において、天面フランジと天板とが密着する場合があった。また、凍結乾燥庫へのバイアル瓶の搬入、取り出しにＡＧＶ（無人搬送車）が使用される場合には、凍結乾燥庫内でのバイアル瓶の列の乱れや倒瓶、破瓶は大きな問題となる。
【００１３】
そのため、医療用ゴム栓の天面フランジの上面外周部に、放射状に円弧状の突起を設けられることが考えられる。しかしながら、天面フランジの上面外周部に円弧状突起を設けた場合にあっても、ゴムの硬さや円弧状突起の大きさに、密着性防止の効果の達成度は影響を受けることが多かった。そのため、ゴムの硬さや円弧状突起の大きさによっては、全打栓時において、円弧状突起がつぶされる場合があり、円弧状突起がつぶされた場合にあっては、天面フランジと天板との接触面積が増大し、そのため、天面フランジと天板とが密着する場合があった。
【００１４】
そこで、医療用ゴム栓の天面フランジの上面外周部に設けられた突起の高さを比較的高くする技術が提案された。しかしながら、天面フランジの上面外周部に比較的高さが高い突起を設けた場合にあっても、全打栓時において、天板を天面フランジに押しつけた際、突起が倒れる場合があった。そのため、打栓時の荷重を解除した場合、突起がよじれることに一因してバイアル瓶が動くことがあった。また、アルミキャップを上からかぶせて巻きじめする際の不具合が生じるなどの問題がある。
【００１５】
一方、凍結乾燥庫内における全打栓時において、天面フランジと天板との密着を防止させる技術として、プラスチックフィルムを医療用ゴム栓の天面フランジの上面にラミネートする技術が提案されている。この技術によれば、全打栓時において、天板はプラスチックフィルムに密着することがないので、天面フランジと天板との密着を防止することができた。しかしながら、プラスチックフィルムを天面フランジにラミネートするため、医療用ゴム栓の製造コストが増加する。また、プラスチックフィルムを天面フランジの上面にラミネートした医療用ゴム栓は、注射針を穿指部に穿指した際、プラスチックフィルムは破瓜し、その破瓜した部分が再封されない。そのため、プラスチックフィルムを天面フランジの上面にラミネートした医療用ゴム栓は、穿刺時の再封性において問題がある。
【００１６】
【発明が解決しようとする課題】
本発明は、上述の問題を解決するためのものであり、洗浄、滅菌などにおいて医療用ゴム栓どうしの密着を防止し、かつ、パーツフィーダにおける搬送性を担保するとともに、さらに、凍結乾燥庫内における全打栓時において、天面フランジと天板との密着性防止を可能とする医療用ゴム栓を提供することを目的とする。
【００１７】
【課題を解決するための手段】
本発明に係る医療用ゴム栓は、請求項１記載のように、注射器の注射針を穿刺可能とする穿刺部と医療用容器口上端面に接するフランジ部とを有する天面フランジと、前記天面フランジの下面に突出して医療用容器口内に嵌入される栓脚と、前記天面フランジの上面外周部に放射状に配置された密着防止用の突起と、を有する医療用ゴム栓であって、前記突起は、垂直上方から見た場合、外縁方向側辺もしくは内縁方向側辺のうちいずれか一方が他方より短く、水平方向から見た場合、内縁方向もしくは外縁方向のうちいずれか一方に向けて傾斜下降した頂面を有する丘陵状突起である、医療用ゴム栓である。
【００１８】
また、本発明に係る医療用ゴム栓は、請求項２記載のように、注射器の注射針を穿刺可能とする穿刺部と医療用容器口上端面に接するフランジ部とを有する天面フランジと、前記天面フランジの下面に突出して医療用容器口内に嵌入される栓脚と、前記天面フランジの上面外周部に放射状に配置された密着防止用の突起と、を有する医療用ゴム栓であって、前記突起は、垂直上方から見た場合、三角形状であり、水平方向から見た場合、内縁方向もしくは外縁方向のうちいずれか一方に向けて傾斜下降した頂面を有する丘陵状突起である、医療用ゴム栓である。
【００１９】
また、本発明に係る医療用ゴム栓は、請求項３記載のように、請求項１または２記載の発明において、前記突起の数量は４〜１２個である医療用ゴム栓である。
【００２０】
〔作用〕
本発明に係る医療用ゴム栓は、請求項１に記載されたように、注射器の注射針を穿刺可能とする穿刺部と医療用容器口上端面に接するフランジ部とを有する天面フランジと、前記天面フランジの下面に突出して医療用容器口内に嵌入される栓脚と、前記天面フランジの上面外周部に放射状に配置された密着防止用の突起と、を有する医療用ゴム栓であって、前記突起は、垂直上方から見た場合、外縁方向側辺もしくは内縁方向側辺のうちいずれか一方が他方より短く、水平方向から見た場合、内縁方向もしくは外縁方向のうちいずれか一方に向けて傾斜下降した頂面を有する丘陵状突起である。
【００２１】
前記突起は、垂直上方から見た場合、外縁方向側辺もしくは内縁方向側辺のうちいずれか一方が他方より短い。したがって、前記突起は、垂直上方から見た場合における両側部に、外縁から内縁へもしくは内縁から外縁へ向かう垂直視テーパー部を有する。
【００２２】
また、前記突起は、水平方向から見た場合、内縁方向もしくは外縁方向のうちいずれか一方に向けて傾斜下降した頂面を有する。すなわち、前記突起は、水平方向から見た場合においても、外縁から内縁へもしくは内縁から外縁へ向かう水平視テーパー部を有する。
【００２３】
また、本発明に係る医療用ゴム栓は、請求項２に記載されたように、前記突起は、垂直上方から見た場合、三角形状であり、水平方向から見た場合、内縁方向もしくは外縁方向のうちいずれか一方に向けて傾斜下降した頂面を有する丘陵状突起である。
【００２４】
前記突起は、垂直上方から見た場合、三角形状であり、三角形の両斜辺は、垂直視テーパー部である。
【００２５】
また、前記突起は、水平方向から見た場合、内縁方向もしくは外縁方向のうちいずれか一方に向けて傾斜下降した頂面を有する。すなわち、前記突起は、水平方向から見た場合においても、外縁から内縁へもしくは内縁から外縁へ向かう水平視テーパー部を有する。
【００２６】
このように、本発明に係る医療用ゴム栓は、請求項１に記載された発明においても、請求項２に記載された発明においても、天面フランジに設けられた突起は、垂直上方から見た場合においても、水平方向から見た場合においても、テーパー部を有する丘陵状突起である。
【００２７】
したがって、本発明に係る医療用ゴム栓は、全打栓時において、天面フランジが天板に加圧された時、丘陵状突起の丘陵部において、天板は天面フランジと接触する。すなわち、全打栓時において、天面フランジが天板に加圧された時、水平視テーパー部のテーパーの高い部分にて、天板は天面フランジと接触する。そのため、天板で加圧されたとき、突起の周辺に隙間が生じ、ゴム栓天面部が吸盤にならないので密着しない。このように、全打栓時において天面フランジが天板に加圧された時に、最大圧力を受ける部分の接触面積を小さくすることができるとともに、天面フランジが吸盤になって密着することを防止することが可能となるのである。
【００２８】
一方、本発明に係る医療用ゴム栓は、天面フランジが天板による押圧力を解除された時、丘陵状突起の丘陵部から、徐々に天板は天面フランジから接触が解除される。すなわち、水平視テーパー部のテーパーの高い部分から、徐々に天板は天面フランジから接触が解除される。天板の加圧が解除されたとき、突起の反発力で、天板が水平視テーパー部に沿って離れるのみならず、垂直視テーパー部に沿って天板があたかもすべりながら、天板が天面フランジから離れるから、天板に密着することはない。このように、天面フランジが天板による押圧力を解除された時には、ゴムの反発力によって、丘陵状突起の一番高い部分から徐々に圧力が解除されるので天板に密着することはない。
【００２９】
本発明に係る医療用ゴム栓の天面フランジに設けられる突起の数量は、請求項３に記載されたように、４〜１２個であることが好適である。突起が４個より少ないとゴム栓の天面フランジ１とキャップとの密着はある程度防止し得るが、天面フランジと押圧板との密着性に劣る傾向があり、一方、１２個を超えるとゴム栓とキャップとの密着性が不十分となる場合があるからである。
【００３０】
【発明の実施の形態】
図１は本発明に係る医療用ゴム栓の一具体例の概略図であり、垂直上方から説明する図である。天面フランジ１の中央部には、注射器の注射針を穿刺可能とする穿刺部１ａが設けられている。天面フランジの直径は１０〜３２ｍｍである。
【００３１】
図２は、図１に係る医療用ゴム栓をＡ−Ａ´面にて切断した断面であり、本発明に係る医療用ゴム栓を水平横方向から説明する図である。天面フランジ１には、注射器の注射針を穿刺可能とする穿刺部１ａと医療用容器口上端面に接するフランジ部１ｂとが設けられている。また、天面フランジ１の下方には、天面フランジ１の下面に突出して医療用容器口内に嵌入される栓脚２が設けられている。
【００３２】
図３は、図２における医療用ゴム栓を矢印Ｃの方向から見ることにより、水平横方向から本発明に係る医療用ゴム栓を説明する図である。
【００３３】
図４は、本発明に係る医療用ゴム栓の天面フランジの上面外周部に配置された突起７を説明する図であり、そのうち、図４（ａ）は突起７を垂直上方から見た図であり、図４（ｂ）は突起７を水平方向から見た図である。
【００３４】
図４（ａ）に示されるように、突起７は、垂直上方から見た場合、略等脚台形形状であり、外縁方向側辺７ｂと、内縁方向側辺７ｃと、垂直視テーパー部７ａと、を有して構成される。この実施の形態では、内縁方向側辺７ｃは外縁方向側辺７ｂよりも短く構成されている。
【００３５】
また、図４（ａ）に示されるように、等脚台形形状における、外縁方向側辺７ｂと、内縁方向側辺７ｃと、垂直視テーパー部７ａと、のそれぞれの境部における角は、丸みを帯びたアール形状に形成されている。等脚台形の高さは、幅部７ｇとして示されている。また、図４（ａ）に示されるように、等脚台形における、外縁方向側辺７ｂ方面、内縁方向側辺７ｃ方面は、それぞれ、半径Ｒで示される円弧にて形成することも可能である。なお、この実施の形態では、突起７は、略等脚台形形状に形成されているが、この形状に限定されるわけではない。
【００３６】
図４（ｂ）に示されるように、突起７は、水平方向から見た場合、台形形状である。そして、台形形状は、水平視テーパー部７ｄと、外辺部７ｅと、内辺部７ｆと、幅部７ｇと、を有して構成される。また、図４（ｂ）に示されるように、台形形状における、水平視テーパー部７ｄと、外辺部７ｅと、内辺部７ｆと、のそれぞれの境部における角は、丸みを帯びたアール形状に形成されているが、この形状に限定されるものではない。
【００３７】
天面フランジの径が１０〜３２ｍｍとしたとき、突起７を垂直上方から見た場合における、等脚台形形状において、外縁方向側辺７ｂは、１．０〜４．０ｍｍであることが好ましい。外縁方向側辺７ｂが、１．０ｍｍよりも小さい場合は、全打栓時において、天板に加圧された時、天面フランジが吸盤になって密着することを適格に防止することが困難な場合が予想されるからである。一方、外縁方向側辺７ｂが、４．０ｍｍよりも大きい場合は、全打栓時において、天板と天面フランジとが接触する面積が大きくなる可能性があるからである。また、突起７を垂直上方から見た場合における、等脚台形形状において、内縁方向側辺７ｃは３．０ｍｍ以下であることが好ましい。一方、内縁方向側辺７ｃが、３．０ｍｍよりも大きい場合は、全打栓時において、天板と天面フランジとが接触する面積が大きくなる可能性があるからである。
【００３８】
突起７を水平方向から見た場合における、台形形状において、外辺部７ｅは、０．５ｍｍ以上であることが好ましい。外辺部７ｅが、０．５ｍｍよりも小さい場合は、全打栓時において、天板に加圧された時、天面フランジの密着が予想されるからである。また、突起７を水平方向から見た場合における、台形形状において、内辺部７ｆは、０〜１．０ｍｍであることが好ましい。内縁方向側辺７ｃが、１．０ｍｍよりも大きい場合は、全打栓時において、天板と天面フランジとが接触する面積が大きくなることにより、天面フランジが天板に密着する場合が考えられるからである。
【００３９】
図５は本発明に係る医療用ゴム栓の別具体例の概略図であり、垂直上方から説明する図である。図５に係る医療用ゴム栓に設けられた突起１７は、図１に係る医療用ゴム栓に設けられた突起７と比較して、外縁方向側辺の長さと内縁方向側辺の長さとが、入れかわることにより対称的に構成されている。
【００４０】
図６は、図５に係る医療用ゴム栓の天面フランジの上面外周部に配置された突起１７を説明する図であり、そのうち、図６（ａ）は突起１７を垂直上方から見た図であり、図６（ｂ）は突起１７を水平方向から見た図である。
【００４１】
図６（ａ）に示されるように、突起１７は、垂直上方から見た場合、略等脚台形形状であり、外縁方向側辺１７ｂと、内縁方向側辺１７ｃと、垂直視テーパー部１７ａと、を有して構成される。この実施の形態では、内縁方向側辺１７ｃは外縁方向側辺１７ｂよりも長く構成されている。
【００４２】
また、図６（ａ）に示されるように、等脚台形形状、外縁方向側辺１７ｂと、内縁方向側辺１７ｃと、垂直視テーパー部１７ａと、のそれぞれの境部における角は、丸みを帯びたアール形状で形成することも可能であるが、アール形状に限定されるわけではない。等脚台形の高さは、幅部１７ｇとして示されている。
【００４３】
図６（ｂ）に示されるように、突起１７は、水平方向から見た場合、台形形状である。そして、台形形状は、水平視テーパー部１７ｄと、外辺部１７ｅと、内辺部１７ｆと、幅部１７ｇと、を有して構成される。
【００４４】
なお、図５に示した突起１７の別実施の形態としての突起１７’を下記のように構成することも可能である。すなわち、突起１７’は、垂直上方から見た場合、略等脚台形形状であり、外縁方向側辺と、内縁方向側辺と、垂直視テーパー部と、を有して構成され、内縁方向側辺は外縁方向側辺よりも長く構成する。そして、突起１７’は、水平方向から見た場合台形形状であり、台形形状は、水平視テーパー部と、外辺部と、内辺部と、幅部と、を有して構成され、外辺部は内辺部よりも高く構成する。このように構成した突起１７’を天面フランジに設け、図５に相当するＡ−Ａ´にて切断した状態を図７に示す。
【００４５】
このように、本発明にかかる突起は、第１の構成として、垂直上方から見た場合、外縁方向側辺が内縁方向側辺より長く、水平方向から見た場合、内縁方向に向けて傾斜下降した頂面を有する丘陵状突起である場合や、第２の構成として、垂直上方から見た場合、外縁方向側辺が内縁方向側辺より短く、水平方向から見た場合、外縁方向に向けて傾斜下降した頂面を有する丘陵状突起である場合や、第３の構成として、垂直上方から見た場合、外縁方向側辺が内縁方向側辺より長く、水平方向から見た場合、外縁方向に向けて傾斜下降した頂面を有する丘陵状突起である場合や、第４の構成として、垂直上方から見た場合、外縁方向側辺が内縁方向側辺より短く、水平方向から見た場合、内縁方向に向けて傾斜下降した頂面を有する丘陵状突起である場合がある。
【００４６】
図８は本発明に係る医療用ゴム栓の別具体例の概略図であり、垂直上方から説明する図である。図８に係る医療用ゴム栓に設けられた突起２７は、垂直上方から見た場合、略二等辺三角形状をしている。
【００４７】
図９は、図８に係る医療用ゴム栓の天面フランジに配置された突起２７を説明する図であり、そのうち、図９（ａ）は突起２７を垂直上方から見た図であり、図９（ｂ）は突起２７を水平方向から見た図である。
【００４８】
図９（ａ）に示されるように、突起２７は、垂直上方から見た場合、略二等辺三角形状であり、底辺８ａと、垂直視テーパー部８ｂ（母線８ｂ）と、を有して構成される。略二等辺三角形の高さである幅部は８ｃで示されている。
【００４９】
また、図９（ａ）に示されるように、略二等辺三角形状における、底辺８ａと、二つの垂直視テーパー部８ｂ，８ｂと、のそれぞれの境部における角を、丸みを帯びたアール形状で形成することも可能である。なお、この実施の形態では、突起２７は、略二等辺三角形状に形成されているが、この形状に限定されるわけではない。
【００５０】
図９（ｂ）に示されるように、突起２７は、水平方向から見た場合、略台形形状である。そして、略台形形状は、水平視テーパー部８ｄと、外辺部８ｅと、内辺部８ｆと、母線８ｂと、を有して構成される。また、図９（ｂ）に示されるように、台形形状における、水平視テーパー部８ｄと、外辺部８ｅと、内辺部８ｆと、のそれぞれの境部における角を、丸みを帯びたアール形状で形成することも可能である。
【００５１】
図１０は本発明に係る医療用ゴム栓の別具体例の概略図であり、垂直上方から説明する図である。図１０に係る医療用ゴム栓に設けられた突起３７は、垂直上方から見た場合、略二等辺三角形状をしている。図１０に係る医療用ゴム栓に設けられた突起３７は、図８に係る医療用ゴム栓に設けられた突起２７を反転させて入れかえて構成されている。
【００５２】
図１１は、図１０に係る医療用ゴム栓の天面フランジに配置された突起３７を説明する図であり、そのうち、図１１（ａ）は突起３７を垂直上方から見た図であり、図１１（ｂ）は突起３７を水平方向から見た図である。
【００５３】
図１１（ａ）に示されるように、突起３７は、垂直上方から見た場合、略二等辺三角形状であり、底辺１８ａと、垂直視テーパー部１８ｂ（母線１８ｂ）と、を有して構成される。略二等辺三角形の高さである幅部は１８ｃで示されている。
【００５４】
また、図１１（ａ）に示されるように、略二等辺三角形状における、底辺１８ａと、二つの垂直視テーパー部１８ｂ，１８ｂと、のそれぞれの境部は角張って構成されているが、角をアール形状にすることも可能である。
【００５５】
図１１（ｂ）に示されるように、突起３７は、水平方向から見た場合、四角形形状である。そして、四角形形状は、水平視テーパー部１８ｄと、外辺部１８ｅと、内辺部１８ｆと、母線１８ｂと、を有して構成される。また、図１１（ｂ）に示されるように、台形形状における、水平視テーパー部１８ｄと、外辺部１８ｅと、内辺部１８ｆと、のそれぞれの境部は角張って構成されているが、角をアール形状にすることも可能である。
【００５６】
図１４は、医療用ゴム栓の天面フランジを押圧板で押した状態における圧力分布を表す図であり、そのうち、（ａ）は本発明に係る医療用ゴム栓の天面フランジ１を押圧板で押した状態における圧力分布であり、（ｂ）は従来に係る医療用ゴム栓の天面フランジ４１を押圧板で押した状態における圧力分布である。図１４において、色が濃くなっている部分は、圧力がかかっている部分であり、色が薄くなっている部分は圧力が弱い部分であり、色が白い部分は圧力がかかっていない部分である。ここで、天面フランジ上の圧力分布の測定は、天面フランジ上に感圧紙をおき、真空打栓試験機を用い、押圧板を上から降下させてゴム栓を打栓することにより行った。天面フランジの直径が１９φの場合、１バイアル瓶あたり５ｋｇｆの圧力をかけた。
【００５７】
本発明に係る医療用ゴム栓の天面フランジ１には、垂直上方から見た場合、内縁方向側辺が外縁方向側辺より短く、水平方向から見た場合、内縁方向に向けて傾斜下降した頂面を有する丘陵状突起７が設けられている。一方、従来に係る医療用ゴム栓の天面フランジ４１には、垂直上方から見た場合において略長方形であり、水平方向から見た場合においても、略長方形の突起４７が設けられている。
【００５８】
図１４（ｂ）に示されているように、従来に係る医療用ゴム栓においては、天面フランジ４１の全体にわたりほぼ均等に圧力がかかっている。
【００５９】
図１４（ｂ）に示されているように、従来に係る医療用ゴム栓においては、穿刺部から突起の根元を通って外部へエアーが逃げる通路が存在していない。
【００６０】
一方、図１４（ａ）に示されているように、本発明に係る医療用ゴム栓においては、突起７の部分と、突起７と突起７との間の部分と、において圧力がかかっているが、この圧力のかかりかたは各部分において違っている。特に突起の周辺は圧力が低い部分となり、穿刺部から突起の根元を通って外部へエアーが逃げる通路すなわち天板と密着しない隙間を形成している。したがって、本発明に係る医療用ゴム栓では、全打栓時において天面フランジが天板に加圧された時、最大圧力を受ける部分の接触面積を小さくすることができ、天面フランジが吸盤になって密着することを防止することが可能となるのである。
【００６１】
医療用ゴム栓の天面フランジ１、１１、２１、３１の上面には、そのゴムの基本的特性である粘着性を改善、改質する目的で摺動性に優れたコーティングを施すことが可能である。天面フランジ１、１１、２１、３１にコートされたシリコーンの極微量物が製剤機械へ移行するもしくは医療用容器内へ移行して微粒子異物の原因となる可能性があるが、本発明の形状を採用することでシリコーンのコーティング量を減少させることが可能となる。
【００６２】
【実施例】
実施例として、バイアル瓶に、本発明に係る医療用ゴム栓を半打栓した資料を９本作成した。一方、比較例として、バイアル瓶に、本発明に係る医療用ゴム栓を半打栓した資料を９本作成した。天板がＳＵＳ鏡面仕上げの打栓試験機に試料９本をセットした。そして、一バイアル当り５ｋｇｆの荷重で全打栓を行った。２０分間加圧状態で放置後、圧力を解除し、天面フランジと天板との密着性を観察した。
【００６３】
本発明に係る医療用ゴム栓の天面フランジには、図４に示された形状の突起が設けられている。すなわち、天面フランジの上面には、垂直上方から見た場合、略等脚台形形状であり、水平方向から見た場合、略台形形状である、突起７が設けられている。天面フランジの直径は１９φである。垂直上方から見た等脚台形形状において、外縁方向側辺は２．０ｍｍで、内縁方向側辺は１．０ｍｍであった。また、等脚台形形状における角部分はアールが設けられている。水平方向から見た台形形状において、外辺部は０．８ｍｍで、内辺部は０．４ｍｍであった。
【００６４】
比較例としては、比較例１と比較例２とを用意した。比較例１は、天面フランジの上面に蒲鉾型形状の突起が４個均等放射状に配置されていた。また、比較例２は、天面フランジの上面に円弧状形状の突起が６個均等放射状に配置されていた。
【００６５】
実施例に係る医療用ゴム栓は、試験を１０回行った。その結果を下記表１に示す。また、比較例１および比較例２に係る医療用ゴム栓は、それぞれ、試験を５回行った。その結果を下記表２に示す。試験の結果として、天面フランジと天板との密着が無いか、また、医療用ゴム栓が封入してあるバイアル瓶の動きが無いか、さらに、医療用ゴム栓が封入してあるバイアル瓶の列の乱れ動きが有るか、を検討した。そして、それらに該当した場合は、下記に示す表において、「動いた瓶の数」として示した。
【００６６】
【表１】
0004698056.tif 000002
【００６７】
【表２】
0004698056.tif 000003
【００６８】
本発明に係る医療用ゴム栓は、３列３行とし、合計９個のバイアル瓶を並べ、試験を１０回行った場合においても、全打栓後の圧力解除において、天面フランジと天板との密着性が観察されず、バイアル瓶は９本中１本も密着したものはなくバイアル瓶の列の乱れや倒瓶などの動きも観察されなかった。一方、比較例１に係る医療用ゴム栓の場合、試験を５回行った結果、全打栓時において、天面フランジと天板との密着性が観察された。バイアル瓶の列に乱れや動きが観察された。同様に、比較例２に係る医療用ゴム栓の場合、試験を５回行った結果、全打栓後の圧力解除において、天面フランジと天板との密着性が観察された。さらに、全打栓を行った後、バイアル瓶の列に乱れや動きが観察された。
【００６９】
なお、今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７０】
【発明の効果】
本発明に係る医療用ゴム栓は、天面フランジの上面外周部に、垂直上方から見た場合、外縁方向側辺もしくは内縁方向側辺のうちいずれか一方が他方より短く、水平方向から見た場合、内縁方向もしくは外縁方向のうちいずれか一方に向けて傾斜下降した頂面を有する丘陵状突起が配置されているという独特の構成を採用している。その独特の構成により、洗浄、滅菌などにおいて医療用ゴム栓どうしの密着を防止することができ、そして、パーツフィーダにおける搬送性を好適に担保することができるとともに、さらに、凍結乾燥庫内における全打栓時において、天面フランジと天板との密着性防止を可能とする医療用ゴム栓を提供することができた。このように本発明に係る医療用ゴム栓は、従来の医療用ゴム栓の有する効果を確保しつつ、さらなる効果を有するものであり、本発明に係る医療用ゴム栓が産業界にもたらす利益は計り知れないものである。
【図面の簡単な説明】
【図１】  本発明に係る医療用ゴム栓を垂直上方から説明する図である。
【図２】  本発明に係る医療用ゴム栓を水平方向から説明する図である。
【図３】  本発明に係る医療用ゴム栓を水平方向から説明する図である。
【図４】  本発明に係る医療用ゴム栓の天面フランジに配置された突起を説明する図であり、そのうち、（ａ）は突起を垂直上方から見た図であり、（ｂ）は突起を水平方向から見た図である。
【図５】  本発明に係る別の実施形態の医療用ゴム栓を、垂直上方から説明する図である。
【図６】  本発明に係る別の実施形態の医療用ゴム栓の天面フランジに配置された突起を説明する図であり、そのうち、（ａ）は突起を垂直上方から見た図であり、（ｂ）は突起を水平方向から見た図である。
【図７】  本発明に係る別の実施形態の医療用ゴム栓を水平方向から説明する図である。
【図８】  本発明に係る別の実施形態の医療用ゴム栓を、垂直上方から説明する図である。
【図９】  本発明に係る別の実施形態の医療用ゴム栓の天面フランジに配置された突起を説明する図であり、そのうち、（ａ）は突起を垂直上方から見た図であり、（ｂ）は突起を水平方向から見た図である。
【図１０】  本発明に係る別の実施形態の医療用ゴム栓を、垂直上方から説明する図である。
【図１１】  本発明に係る別の実施形態の医療用ゴム栓の天面フランジに配置された突起を説明する図であり、そのうち、（ａ）は突起を垂直上方から見た図であり、（ｂ）は突起を水平方向から見た図である。
【図１２】  従来に係る医療用ゴム栓を、垂直上方から説明する図である。
【図１３】  従来に係る医療用ゴム栓の天面フランジに配置された突起を説明する図であり、そのうち、（ａ）は突起を垂直上方から見た図であり、（ｂ）は突起を水平方向から見た図である。
【図１４】  天面フランジ上の圧力分布状態を説明する図であり、そのうち（ａ）は本発明に係る医療用ゴム栓の天面フランジ上の圧力分布であり、（ｂ）は比較例に係る医療用ゴム栓の天面フランジ上の圧力分布である。
【符号の説明】
１，１１，２１，３１，４１  天面フランジ、２  栓脚、７，１７，２７，３７，４７  突起。
【図１】
0004698056.tif 000004
【図２】
0004698056.tif 000005
【図３】
0004698056.tif 000006
【図４】
0004698056.tif 000007
【図５】
0004698056.tif 000008
【図６】
0004698056.tif 000009
【図７】
0004698056.tif 000010
【図８】
0004698056.tif 000011
【図９】
0004698056.tif 000012
【図１０】
0004698056.tif 000013
【図１１】
0004698056.tif 000014
【図１２】
0004698056.tif 000015
【図１３】
0004698056.tif 000016
【図１４】
0004698056.tif 000017